(57)【要約】  【課題】個人認証を行い、各種サービスを提供することのできる自動販売機を提供する。  【解決手段】個人情報を記憶する非接触媒体と、情報を送受信する通信手段４と、商品の選択や各種操作を行う選択手段６と、選択手段６による操作を記憶する操作記憶手段７と、操作記憶手段７と選択手段６とに接続された演算制御部８ａを備え、顧客が非接触媒体を使用して、商品購入する場合に、予め設定されたゲームを行い、ある一定の基準をクリアした場合にポイントが個人情報に加算されるので、自動販売機での販売量の増加が期待できる。【選択図】図２
2007041747.tif 000002
【特許請求の範囲】
【請求項１】
個人情報を記憶する非接触媒体と、情報を送受信する通信手段と、商品の選択や各種操作を行う選択手段と、前記選択手段による操作を記憶する操作記憶手段と、前記操作記憶手段と前記選択手段とに接続された演算制御部を備え、前記演算制御部は、顧客が非接触媒体を使用して、商品購入する場合に、前記選択手段を使用し予め設定されたゲームを行い、ある一定の基準をクリアした場合にポイントが個人情報に加算されることを特徴とした自動販売機。
【請求項２】
オペレータによりゲーム可能な回数を設定変更する設定手段を備え、前記演算制御部は、顧客が非接触媒体を使用して、商品購入する場合に、個人情報に応じて、前記設定手段により設定されたゲーム回数により、ゲーム可能か否かを判断することを特徴とした請求項１に記載の自動販売機。
【請求項３】
非接触媒体を使用して商品購入した回数を記憶するための購入回数記憶手段を備え、前記演算制御部は、顧客が非接触媒体を使用して、入金登録作業を行った場合に、購入回数記憶手段により記憶された購入回数が所定の回数をクリアする毎に、前記記憶手段によりゲーム可能か否かを判断することを特徴とした請求項１または２に記載の自動販売機。
【請求項４】
特定の商品を設定入力する入力手段を備え、前記演算制御部は、顧客が非接触媒体を使用して、商品購入する場合に、前記入力手段にて設定された特定商品を選択された場合にのみ、ゲームすることを可能とすることを特徴とした請求項１から３のいずれか一項に記載の自動販売機。
【請求項５】
自動販売機の設置場所の情報を入力する地域入力手段を備え、前記演算制御部は、顧客が非接触媒体を使用して、商品購入する場合に、前記地域入力手段により入力された自販機の地域と顧客の登録地域とからゲームすることを可能とすることを特徴とした請求項１から４のいずれか一項に記載の自動販売機。
【発明の詳細な説明】
【技術分野】
【０００１】
本発明は、非接触媒体を使用して顧客の個人認証を行うことにより、顧客毎にサービスを提供する自動販売機に関するものである。
【背景技術】
【０００２】
従来、この種の自動販売機には、ネットワークシステムを介して個人認証を行い、顧客毎のサービスを提供している（例えば、特許文献１参照）。
【特許文献１】特開２００２−３１２８３５号公報
【発明の開示】
【発明が解決しようとする課題】
【０００３】
しかしながら、上記従来の構成では、虹彩カメラで撮像した虹彩画像をネットワークを経由して管理センターへ送信し、管理センターに登録された虹彩画像のデータを照合して行う個人認証なので、各種サービスを受けるためには時間を必要とし、また、個人認証によるサービスも販売店で行われているサービスと同じ、価格割引にとどまっているという課題を有していた。
【０００４】
本発明は従来の課題を解決するもので、ＩＣチップが組み込まれた非接触媒体と、通信を行うための通信手段を備えた自動販売機により、個人認証を行い、各種サービスを提供することのできる自動販売機を提供することを目的とする。
【課題を解決するための手段】
【０００５】
上記従来の課題を解決するために、本発明の請求項１に記載の発明は、個人情報を記憶する非接触媒体と、情報を送受信する通信手段と、商品の選択や各種操作を行う選択手段と、前記選択手段による操作を記憶する操作記憶手段と、前記操作記憶手段と選択手段とに接続された演算制御部を備え、前記演算制御部は、顧客が非接触媒体を使用して、商品購入する場合に、選択手段を使用し予め設定されたゲームを行い、ある一定の基準をクリアした場合にポイントが個人情報に加算されることを特徴としたものである。
【０００６】
これによって、顧客は個人情報を登録することにより、ゲームクリアに応じてポイントが加算することができ、自動販売機での販売量の増加が期待できる。
【０００７】
また、本発明の請求項２に記載の発明は、請求項１に記載の発明に、さらに、オペレータによりゲーム可能な回数を設定変更する設定手段を備えたものであり、前記演算制御部は、顧客が非接触媒体を使用して、商品購入する場合に、個人情報に応じて、前記設定手段により設定された可能ゲーム回数により、ゲーム可能か否かを判断することを特徴としたものである。
【０００８】
これによって、顧客は個人情報を登録することにより、オペレータが設定した回数だけゲームをすることができ、自動販売機での販売量の増加が期待できる。
【０００９】
また、本発明の請求項３に記載の発明は、請求項１または２に記載の発明に、さらに、非接触媒体を使用して商品購入した回数を記憶するための購入回数記憶手段を備え、前記演算制御部は、顧客が非接触媒体を使用して、入金登録作業を行った場合に、購入回数記憶手段により記憶された購入回数が所定の回数をクリアする毎に、前記記憶手段によりゲーム可能か否かを判断することを特徴としたものである。
【００１０】
これによって、顧客は個人情報を登録することにより、購入回数に応じてゲームすることができ、自動販売機での販売量の増加が期待できる。
【００１１】
また、本発明の請求項４に記載の発明は、請求項１から３のいずれか一項に記載の発明に、さらに、特定の商品を設定入力する入力手段を備え、前記演算制御部は、顧客が非接触媒体を使用して、商品購入する場合に、前記入力手段にて設定された特定商品を選択された場合にのみ、ゲームすることを可能とすることを特徴としたものである。
【００１２】
これによって、顧客は個人情報を登録することにより、特定商品を購入した場合にゲームすることができ、自動販売機での販売量の増加が期待できる。
【００１３】
また、本発明の請求項５に記載の発明は、請求項１から４のいずれか一項に記載の発明に、さらに、自動販売機の設置場所の情報を入力する地域入力手段を備え、前記演算制御部は、顧客が非接触媒体を使用して、商品購入する場合に、前記地域入力手段により入力された自販機の地域と顧客の登録地域とから判断しゲームすることを可能とすることを特徴としたものである。
【００１４】
これによって、顧客は個人情報を登録することにより、特定地域でのゲームが可能であり自動販売機での販売量の増加が期待できる。
【発明の効果】
【００１５】
本発明の請求項１に記載の発明は、顧客が所定の個人情報を事前入力することにより、ゲームをすることができある一定の基準をクリアした場合にポイントを加算することができ、自動販売機での販売量の増加が期待できる。
【００１６】
また、本発明の請求項２に記載の発明は、顧客が所定の個人情報を事前入力することにより、オペレータが事前に設定した回数だけゲームをすることができ、自動販売機での販売量の増加が期待できる。
【００１７】
また、本発明の請求項３に記載の発明は、顧客が所定の個人情報を事前入力することにより、自動販売機で購入した所定回数毎に、ゲームをすることができ、自動販売機での販売量の増加が期待できる。
【００１８】
また、本発明の請求項４に記載の発明は、顧客が所定の個人情報を事前入力することにより、自動販売機で特定の商品を購入したとき、ゲームをすることができ、自動販売機での販売量の増加が期待できる。
【００１９】
また、本発明の請求項５に記載の発明は、顧客が所定の個人情報を事前入力することにより、自動販売機の設置場所と個人情報の登録地域により、ゲームをすることができ、自動販売機での販売量の増加が期待できる。
【発明を実施するための最良の形態】
【００２０】
請求項１に記載の発明は、個人情報を記憶する非接触媒体と、情報を送受信する通信手段と、商品の選択や各種操作を行う選択手段と、前記選択手段による操作を記憶する操作記憶手段と、前記操作記憶手段と選択手段とに接続された演算制御部を備えたことにより、顧客が非接触媒体を使用して、商品購入する場合に、選択手段を使用し予め設定されたゲームを行い、ある一定の基準をクリアした場合にポイントが個人情報に加算することができ、自動販売機での販売量の増加が期待できる。
【００２１】
請求項２に記載の発明は、請求項１に記載の発明に、さらに、オペレータによりゲーム可能な回数を設定変更する設定手段を備えたことにより、顧客が非接触媒体を使用して、商品購入する場合に、個人情報に応じて、前記設定手段により設定された可能ゲーム回数により、ゲーム可能か否かを判断することができ、自動販売機での販売量の増加が期待できる。
【００２２】
請求項３に記載の発明は、請求項１または２に記載の発明に、さらに、非接触媒体を使用して商品購入した回数を記憶するための購入回数記憶手段を備えたことにより、顧客が非接触媒体を使用して、入金登録作業を行った場合に、購入回数記憶手段により記憶された購入回数が所定の回数をクリアする毎に、前記記憶手段によりゲーム可能か否かを判断することができ、自動販売機での販売量の増加が期待できる。
【００２３】
請求項４に記載の発明は、請求項１から３のいずれか一項に記載の発明に、さらに、特定の商品を設定入力する入力手段を備えたことにより、顧客が非接触媒体を使用して、商品購入する場合に、前記入力手段にて設定された特定商品を選択された場合にのみ、ゲームすることを可能とすることができ、自動販売機での販売量の増加が期待できる。
【００２４】
請求項５に記載の発明は、請求項１から４のいずれか一項に記載の発明に、さらに、自動販売機の設置場所の情報を入力する地域入力手段を備えたことにより、顧客が非接触媒体を使用して、商品購入する場合に、前記地域入力手段により入力された自販機の地域と顧客の登録地域とからゲームすることができ、自動販売機での特定商品販売量の増加が期待できる。
【００２５】
以下、本発明による自動販売機の実施の形態について、図面を参照しながら説明する。なお、この実施の形態によってこの発明が限定されるものではない。
【００２６】
（実施の形態１）
図１は、本発明の実施の形態１における自動販売機の概略構成図である。
【００２７】
図２は、同実施の形態の自動販売機の機能ブロック図である。図３は、同実施の形態の自動販売機の動作を示すフローチャートである。
【００２８】
図１、図２において、本体１は、商品を購入する顧客２が携帯しているＩＣチップが組み込まれた非接触媒体３と情報を送受信する通信手段４と、商品の選択や各種操作を行う選択手段６と、選択手段６による操作を記憶する操作記憶手段７と、通信手段４、選択手段６、操作記憶手段７とに接続された演算制御部８ａとを備えた制御装置５から構成されている。
【００２９】
以上のように構成された自動販売機について、以下その演算制御部８ａの動作、作用を図３のフローチャートをもとにして説明する。
【００３０】
まず、顧客２が自動販売機１に所定の金額の入金を行うと、通信手段４にＩＣチップが組み込まれた非接触媒体３が近づけられたかの確認を行う（ＳＴＥＰ１）。ＳＴＥＰ１において、ＩＣチップが組み込まれた非接触媒体３が検知された場合は、ＩＣチップが組み込まれた非接触媒体３に記憶されたデータを受信する（ＳＴＥＰ２）。
【００３１】
また、ＳＴＥＰ１において、ＩＣチップが組み込まれた非接触媒体３が検知されなかった場合は、通常の自動販売機として商品の販売が行われる。ＳＴＥＰ２で受信したデータにより個人認証を行う（ＳＴＥＰ３）。ＳＴＥＰ３において、個人認証ができた場合は、選択手段６を用いてゲームを行うことが出来る（ＳＴＥＰ４）。
【００３２】
また、ＳＴＥＰ３において、個人認証ができなかった場合は、通常の自動販売機として商品の販売が行われる。そして、ＳＴＥＰ４において、ゲームをクリアできた場合（ＳＴＥＰ５）はゲームクリアデータをＩＣチップが組み込まれた非接触媒体３に送信する（ＳＴＥＰ６）。また、ＳＴＥＰ５において、ゲームがクリアできなかった場合は、通常の自動販売機として商品の販売が行われる。
【００３３】
以上のように、本実施の形態においては非接触媒体３と情報を送受信する通信手段４と、商品の選択や各種操作を行う選択手段６と、選択手段６による操作を記憶する操作記憶手段７と、通信手段４、選択手段６、操作記憶手段７とに接続された演算制御部８ａとを備えたことにより、顧客が非接触媒体を使用して、商品購入する場合に、選択手段を使用し予め設定されたゲームを行うことができゲームをクリアした場合ポイントが加算され、自動販売機での販売量の増加が期待できる。
【００３４】
（実施の形態２）
図４は、本発明の実施の形態２における自動販売機の機能ブロック図である。図５は、同実施の形態の自動販売機の動作を示すフローチャートである。
【００３５】
図４において、設定手段９は、演算制御部８ｂに接続し、オペレータによりゲーム可能な回数を設定変更するためのものである。
【００３６】
本実施の形態は、実施の形態１による自動販売機に、さらに、オペレータによりゲーム可能な回数を設定変更する設定手段９を設けたものである。
【００３７】
以上のように構成された自動販売機について、以下その演算制御部８ｂの動作、作用を図５のフローチャートをもとにして説明する。
【００３８】
まず、顧客２が自動販売機１に所定の金額の入金を行うと、通信手段４にＩＣチップが組み込まれた非接触媒体３が近づけられたかの確認を行う（ＳＴＥＰ１１）。ＳＴＥＰ１において、ＩＣチップが組み込まれた非接触媒体３が検知された場合は、ＩＣチップが組み込まれた非接触媒体３に記憶されたデータを受信する（ＳＴＥＰ１２）。
【００３９】
また、ＳＴＥＰ１１において、ＩＣチップが組み込まれた非接触媒体３が検知されなかった場合は、通常の自動販売機として商品の販売が行われる。ＳＴＥＰ１２で受信したデータにより個人認証を行う（ＳＴＥＰ１３）。ＳＴＥＰ１３において、個人認証ができた場合は、オペレータが予め設定したゲーム可能回数以下であれば（ＳＴＥＰ１４）選択手段６を用いてゲームを行うことが出来る。（ＳＴＥＰ１５）。
【００４０】
また、ＳＴＥＰ１３において、個人認証ができなかった場合は、通常の自動販売機として商品の販売が行われる。そして、ＳＴＥＰ１５において、ゲームをクリアできた場合（ＳＴＥＰ１６）はゲームクリアデータをＩＣチップが組み込まれた非接触媒体３に送信する（ＳＴＥＰ１７）。また、ＳＴＥＰ１６において、ゲームがクリアできなかった場合は、通常の自動販売機として商品の販売が行われる。
【００４１】
以上のように、本実施の形態においては請求項１に記載の発明に、さらに、オペレータによりゲーム可能な回数を設定変更する設定手段を備えたことにより、個人の過去の購入実態からゲーム可能か否かを判断することができ、自動販売機での販売量の増加が期待できる。
【００４２】
（実施の形態３）
図６は、本発明の実施の形態３における自動販売機の機能ブロック図である。図７は、同実施の形態の自動販売機の動作を示すフローチャートである。
【００４３】
図６において、購入回数記憶手段１０は、演算制御部８ｃに接続し、顧客毎に所定の購入回数を記憶するためのものである。
【００４４】
本実施の形態は、実施の形態１または２による自動販売機に、さらに、非接触媒体を使用して商品購入した回数を記憶するための購入回数記憶手段を設けたものである。
【００４５】
以上のように構成された自動販売機について、以下その演算制御部８ｃの動作、作用を図７のフローチャートをもとにして説明する。
【００４６】
まず、顧客２が自動販売機１に所定の金額の入金を行うと、通信手段４にＩＣチップが組み込まれた非接触媒体３が近づけられたかの確認を行う（ＳＴＥＰ２１）。ＳＴＥＰ２１において、ＩＣチップが組み込まれた非接触媒体３が検知された場合は、ＩＣチップが組み込まれた非接触媒体３に記憶されたデータを受信する（ＳＴＥＰ２２）。
【００４７】
また、ＳＴＥＰ２１において、ＩＣチップが組み込まれた非接触媒体３が検知されなかった場合は、通常の自動販売機として商品の販売が行われる。ＳＴＥＰ２２で受信したデータにより個人認証を行う（ＳＴＥＰ２３）。ＳＴＥＰ２３において、個人認証ができた場合は、その顧客の過去の商品購入本数が任意の本数以上であれば（ＳＴＥＰ２４）選択手段６を用いてゲームを行うことが出来る（ＳＴＥＰ２５）。
【００４８】
また、ＳＴＥＰ２３において、個人認証ができなかった場合は、通常の自動販売機として商品の販売が行われる。そして、ＳＴＥＰ５において、ゲームをクリアできた場合（ＳＴＥＰ２６）はゲームクリアデータをＩＣチップが組み込まれた非接触媒体３に送信する（ＳＴＥＰ２７）。また、ＳＴＥＰ２６において、ゲームがクリアできなかった場合は、通常の自動販売機として商品の販売が行われる。
【００４９】
以上のように、本実施の形態においては請求項２に記載の発明に、さらに、非接触媒体を使用して商品購入した回数を記憶するための購入回数記憶手段を備えたことにより、個人の過去の購入実態からゲーム可能か否かを判断することができ、自動販売機での販売量の増加が期待できる。
【００５０】
（実施の形態４）
図８は、本発明の実施の形態４における自動販売機の機能ブロック図である。図９は、同実施の形態の自動販売機の動作を示すフローチャートである。
【００５１】
図８において、入力手段１１は、演算制御部８ｄに接続し、特定の商品を設定入力するためのものである。
【００５２】
本実施の形態は、実施の形態３による自動販売機に特定の商品を設定入力する入力手段を備えたものである。
【００５３】
以上のように構成された自動販売機について、以下その演算制御部８ｄの動作、作用を図９のフローチャートをもとにして説明する。
【００５４】
まず、顧客２が自動販売機１に所定の金額の入金を行うと、通信手段４にＩＣチップが組み込まれた非接触媒体３が近づけられたかの確認を行う（ＳＴＥＰ３１）。ＳＴＥＰ３１において、ＩＣチップが組み込まれた非接触媒体３が検知された場合は、ＩＣチップが組み込まれた非接触媒体３に記憶されたデータを受信する（ＳＴＥＰ３２）。
【００５５】
また、ＳＴＥＰ３１において、ＩＣチップが組み込まれた非接触媒体３が検知されなかった場合は、通常の自動販売機として商品の販売が行われる。ＳＴＥＰ３２で受信したデータにより個人認証を行う（ＳＴＥＰ３３）。ＳＴＥＰ３３において、個人認証ができた場合は、その顧客が特定の商品を購入する場合にのみ（ＳＴＥＰ３４）選択手段６を用いてゲームを行うことが出来る（ＳＴＥＰ３５）。
【００５６】
また、ＳＴＥＰ３３において、個人認証ができなかった場合は、通常の自動販売機として商品の販売が行われる。そして、ＳＴＥＰ３５において、ゲームをクリアできた場合（ＳＴＥＰ３６）はゲームクリアデータをＩＣチップが組み込まれた非接触媒体３に送信する（ＳＴＥＰ３７）。また、ＳＴＥＰ３６において、ゲームがクリアできなかった場合は、通常の自動販売機として商品の販売が行われる。
【００５７】
以上のように、本実施の形態においては請求項３に記載の発明に、さらに、特定の商品を設定入力する入力手段を備えたことにより、特定商品購入時のみゲーム可能か否かを判断することができ、自動販売機での販売量の増加が期待できる。
【００５８】
（実施の形態５）
図１０は、本発明の実施の形態５における自動販売機の機能ブロック図である。図１１は、同実施の形態の自動販売機の動作を示すフローチャートである。
【００５９】
図１０において、地域入力手段１２は、演算制御部８ｅに接続し、自動販売機の設置場所の情報を入力するためのものである。
【００６０】
本実施の形態は、実施の形態４による自動販売機に、さらに、自動販売機の設置場所の情報を入力する地域入力手段を設けたものである。
【００６１】
以上のように構成された自動販売機について、以下その演算制御部８ｅの動作、作用を図１１のフローチャートをもとにして説明する。
【００６２】
まず、顧客２が自動販売機１に所定の金額の入金を行うと、通信手段４にＩＣチップが組み込まれた非接触媒体３が近づけられたかの確認を行う（ＳＴＥＰ４１）。ＳＴＥＰ４１において、ＩＣチップが組み込まれた非接触媒体３が検知された場合は、ＩＣチップが組み込まれた非接触媒体３に記憶されたデータを受信する（ＳＴＥＰ４２）。
【００６３】
また、ＳＴＥＰ４１において、ＩＣチップが組み込まれた非接触媒体３が検知されなかった場合は、通常の自動販売機として商品の販売が行われる。ＳＴＥＰ４２で受信したデータにより個人認証を行う（ＳＴＥＰ４３）。ＳＴＥＰ４３において、個人認証ができた場合は、その顧客が特定の地域で商品を購入する場合にのみ（ＳＴＥＰ４４）選択手段６を用いてゲームを行うことが出来る（ＳＴＥＰ４５）。
【００６４】
また、ＳＴＥＰ４３において、個人認証ができなかった場合は、通常の自動販売機として商品の販売が行われる。そして、ＳＴＥＰ４５において、ゲームをクリアできた場合（ＳＴＥＰ４６）はゲームクリアデータをＩＣチップが組み込まれた非接触媒体３に送信する（ＳＴＥＰ４７）。また、ＳＴＥＰ４６において、ゲームがクリアできなかった場合は、通常の自動販売機として商品の販売が行われる。
【００６５】
以上のように、本実施の形態においては請求項４に記載の発明に、さらに、自動販売機の設置場所の情報を入力する地域入力手段を備えたことにより、自販機の地域と顧客の登録地域とからゲームすることができ、自動販売機での特定商品販売量の増加が期待できる。
【産業上の利用可能性】
【００６６】
以上のように、本発明にかかる自動販売機は、個人認証を行うことにより、顧客毎にゲームをすることが可能になるので、顧客のニーズに合ったお勧め商品を提示する等の用途にも適用できる。
【図面の簡単な説明】
【００６７】
【図１】本発明の実施の形態１における自働販売機の概略構成図
【図２】同実施の形態の自動販売機の機能ブロック図
【図３】同実施の形態の自動販売機の動作を示すフローチャート
【図４】本発明の実施の形態２における自動販売機の機能ブロック図
【図５】同実施の形態の自動販売機の動作を示すフローチャート
【図６】本発明の実施の形態３における自動販売機の機能ブロック図
【図７】同実施の形態の自動販売機の動作を示すフローチャート
【図８】本発明の実施の形態４における自動販売機の機能ブロック図
【図９】同実施の形態の自動販売機の動作を示すフローチャート
【図１０】本発明の実施の形態５における自動販売機の機能ブロック図
【図１１】同実施の形態の自動販売機の動作を示すフローチャート
【符号の説明】
【００６８】
１    自動販売機本体
２    顧客
３    非接触媒体
４    通信手段
５    制御装置
６    選択手段
７    操作記憶手段
８ａ，８ｂ，８ｃ，８ｄ，８ｅ  演算制御部
９    設定手段
１０  購入回数記憶手段
１１  入力手段
１２  地域入力手段
【図１】
2007041747.tif 000003
【図２】
2007041747.tif 000004
【図３】
2007041747.tif 000005
【図４】
2007041747.tif 000006
【図５】
2007041747.tif 000007
【図６】
2007041747.tif 000008
【図７】
2007041747.tif 000009
【図８】
2007041747.tif 000010
【図９】
2007041747.tif 000011
【図１０】
2007041747.tif 000012
【図１１】
2007041747.tif 000013